(57)【特許請求の範囲】
【請求項１】
固定側部材への部品の取付構造であって、固定側部材には、その前壁から前方へ突出するピンと、前方へ延びるクリップ支持部の先端から折り返し方向に延びて自由端側に前記ピンと対向する爪を備えるクリップ片とを有するクリップ部が設けられ、前記部品は前記ピンを挿通可能の孔を有する第１の取り付け耳部を備えて、前記クリップ片はその撓みにより、第１の取り付け耳部の前記ピンへの挿通を許し、挿通後は前記爪が係合して第１の取り付け耳部のピンからの抜けを阻止するよう構成し、
前記部品は前記第１の取り付け耳部から横方向に離間した位置に第２の取り付け耳部を備え、固定側部材には、前記ピン方向に延びて第２の取り付け耳部を係止可能の引掛け部を備えるフック部が設けられていることを特徴とする固定側部材への部品の取付構造。
【請求項２】
前記部品は下部に係合部を備え、固定側部材には、下部に前記係合部と係合し前記部品を受ける下受け部を備えていることを特徴とする請求項１記載の固定側部材への部品の取付構造。
【請求項３】
前記フック部の引掛け部の先端は、固定側部材の壁面に対向する側に傾斜面を有していることを特徴とする請求項１または請求項２に記載の固定側部材への部品の取付構造。
【請求項４】
固定側部材が車両のファンシュラウドであり、前記部品がリザーブタンクであることを特徴とする請求項１から３のいずれか１に記載の固定側部材への部品の取付構造。
【請求項５】
前記クリップ片の爪は、前方側に傾斜面を有していることを特徴とする請求項１から４のいずれか１に記載の固定側部材への部品の取付構造。
【請求項６】
前記クリップ部のクリップ支持部はクリップ片に対して曲げ剛性の大きな断面を有していることを特徴とする請求項１から５のいずれか１に記載の固定側部材への部品の取付構造。
【請求項７】
固定側部材は、前記クリップ片の自由端が対向する面に開口を有していることを特徴とする請求項１から６のいずれか１に記載の固定側部材への部品の取付構造。
【発明の詳細な説明】
【０００１】
【発明の属する技術分野】
本発明は、例えば車両のエンジン冷却水放熱用のラジエータや空調用のコンデンサに付設されるファンシュラウドにオーバフロー冷却水などを貯留するためのリザーブタンクを保持させるなどの部品の取付構造に関する。
【０００２】
【従来の技術】
このような固定側部材としてのファンシュラウドに取付部品としてのリザーブタンクを保持するものとして、従来は図８に示すような取付構造がある。
この従来構造では、リザーブタンク１０Ａには、その下端に下方へ向けて突出するよう形成された取り付け突起１２を設け、上端には幅方向の両端部にそれぞれ孔１５、１７を有する取り付け耳部１４、１６を設けてある。
【０００３】
ファンシュラウド２０Ａには、その下部に、穴２９を有する下受け部２８が設けられ、上部にはリザーブタンクの取り付け耳部１４、１６に対応する薄肉壁部を備える取付けブロック３０Ａが設けられている。
薄肉壁部には取り付け耳部の孔１５より大径の孔が形成されるとともに、Ｊナット６２が嵌め込まれている。Ｊナット６２は、弾性材を断面Ｊ字状またはＵ字状に折り曲げ、その１方の片にはネジ穴が形成され、他方の片にはネジ孔と整合させて該ネジ孔より大径の穴が形成されている。
【０００４】
リザーブタンク１０Ａは、先ずその下端の取り付け突起１２をファンシュラウド２０Ａの下受け部２８の穴２９に差込んで下から支えられ、それから取り付け耳部１４、１６の孔１５、１７に通したボルト６０を取付けブロック３０Ａの薄肉壁部に嵌め込まれたＪナット６２のネジ孔にねじ込んでファンシュラウド２０Ａに固定される。
Ｊナット６２にねじ込まれたボルト６０は薄肉壁部の穴に挿し込まれているので、振動などの外力が加わってもボルト６０が取付けブロック３０Ａから抜けることはなく、これにより、リザーブタンク１０Ａの脱落が防止される。
【０００５】
【発明が解決しようとする課題】
しかしながら、上記従来の取付構造では、２本のボルト６０とこれに対応するＪナット６２を必要とし、Ｊナット６２の薄肉壁部への嵌め込み作業およびボルト６０の締結作業を行わなければならず、コストと工数がかかるという問題がある。
したがって本発明は、取り付けに手間がかからず、しかも低コストで実現される固定側部材への部品の取付構造を提供することを目的とする。
【０００６】
【課題を解決するための手段】
このため、請求項１の本発明は、固定側部材への部品の取付構造であって、固定側部材には、その前壁から前方へ突出するピンと、前方へ延びるクリップ支持部の先端から折り返し方向に延びて自由端側にピンと対向する爪を備えるクリップ片とを有するクリップ部が設けられ、上記の部品はピンを挿通可能の孔を有する第１の取り付け耳部を備えて、クリップ片はその撓みにより、第１の取り付け耳部のピンへの挿通を許し、挿通後は爪が係合して第１の取り付け耳部のピンからの抜けを阻止するよう構成し、部品が第１の取り付け耳部から横方向に離間した位置に第２の取り付け耳部を備え、固定側部材には、ピン方向に延びて第２の取り付け耳部を係止可能の引掛け部を備えるフック部が設けられているものとした。
【０００７】
請求項２の発明は、さらに、部品が下部に係合部を備え、固定側部材には、下部に係合部と係合し部品を受ける下受け部を備えているものとした。請求項３の発明は、フック部の引掛け部の先端が、固定側部材の壁面に対向する側に傾斜面を有しているものである。
【０００８】
請求項４の発明は、固定側部材が車両のファンシュラウドであり、部品がリザーブタンクであって、リザーブタンクは第１の取り付け耳部と第２の取り付け耳部を上端に備えるとともに、下部には下方へ向けて突出する取り付け突起を備え、ファンシュラウドは上部に上記のクリップ部とフック部を備え、下部には取り付け突起を受ける穴を有する下受け部を備えているものとした。
【０００９】
請求項５の発明は、クリップ片の爪が、前方側に傾斜面を有しているものである。また、請求項６の発明は、クリップ部のクリップ支持部がクリップ片に対して曲げ剛性の大きな断面を有しているものである。請求項７の発明は、固定側部材が、クリップ片の自由端が対向する面に開口を有しているものである。
【００１０】
【発明の実施の形態】
以下、本発明の実施の形態について説明する。
図１はファンシュラウドへのリザーブタンク取り付けに適用した実施の形態を示す正面図である。図２はリザーブタンクを示す図である。
リザーブタンク１０には、その下端に下方へ向けて突出するよう形成された取り付け突起１２を設け、上端には幅方向の両端部にそれぞれ取り付け耳部１４、１６を設けてある。図中左側に位置する一方の取り付け耳部１４には孔１５が設けられている。他方の右側の取り付け耳部１６にも孔１７があってもよい。すなわち、本実施の形態では従来のリザーブタンク１０Ａをそのまま利用できる。
【００１１】
ファンシュラウド２０は正面形状が略矩形のベース部２２に図示しないファンを収容する丸穴２４が設けられ、ベース部２２からは図示しないファンモータを支持するための支持アーム２６が張り出している。ベース部２２は支持アーム２６の張り出し側を前面とする。
ベース部２２の下角部には側外方かつ支持アーム２６の張り出しと同じ方向に下受け部２８が設けられている。図３に拡大して示すように、下受け部２８はリザーブタンク１０の取り付け突起１２を受ける穴２９を有している。
【００１２】
ベース部２２の上部には取付けブロック３０が設けられている。
取付けブロック３０には、リザーブタンク１０の一方の取り付け耳部１４に対応させて後述するピンが付設されたクリップ部４０と、他方の取り付け耳部１６を横方向に差し込み可能のフック部３６とが設けられている。
クリップ部４０は、そのピンに取り付け耳部１４の孔を正面方向から差し込んだとき、クリップ片が当該取り付け耳部と係合して、取り付け耳部のピンからの抜けを阻止するように構成されている。
【００１３】
つぎに、上記のクリップ部４０とフック部３６の詳細について説明する。
図４はファンシュラウド２０の取付けブロック３０部分を拡大して示し、（ａ）は上面図、（ｂ）は正面図である。図５は図４の（ｂ）におけるＡ−Ａ部断面図である。
まず、クリップ部４０について説明する。
取付けブロック３０はベース部２２の上角部から側外方へ突き出た突出部４２を有し、突出部４２は一部前壁４３を有して、その前壁４３に前方へ突出するピン４５を備えている。
突出部４２はその側外方端に、ピン４５と同方向に側壁４８から前方へ延びるクリップ支持部５０を有している。
【００１４】
クリップ支持部５０は、ピン４５よりも十分に長く延びて、その先端には折り返し方向、すなわちクリップ支持部５０と逆方向、かつ平行に延びるクリップ片５６が設けられている。クリップ片５６の自由端近傍にはピン４５側へ突出する爪５８が形成されている。突出部４２からクリップ支持部５０、およびクリップ片５６は一体成形されている。
とくに図５に示すように、爪５８は、突出部４２の前壁４３との間に、リザーブタンク１０の取り付け耳部１４の厚さに整合する間隙Ｄをもち、前側には傾斜面５９を有している。
また、クリップ片５６の先端とピン４５との間隙は、取り付け耳部１４の孔１５と側縁間の距離Ｓ（図２参照）にほぼ整合させてある。
【００１５】
また、クリップ支持部５０は縦壁５１にリブ５３を備えて断面がＥ字形状となっており、とくに上辺５２の先端側２／３ほどは図４の（ａ）に示す上面図においてクリップ片５６と重なるまでの広幅となっている。この上辺５２の根元部は突出部４２までの間が直線的に広がって補強壁５４となっている。
また、突出部４２は前壁４３とクリップ支持部５０が延びる側壁４８間が肉抜き開口されており、クリップ片５６の先端はこの開口４９に臨んでいる。
【００１６】
図６は、図４の（ｂ）におけるＢ−Ｂ部矢視図である。
クリップ片５６は、突出部４２から前方へ延びたクリップ支持部５０の前端から距離Ｈの点を根元としてクリップ支持部５０の上辺５２から分かれており、略長方形の平面形状を有している。クリップ片５６に形成された爪５８の下端の角部は滑らかなＲ（アール）処理が施され、クリップ片５６の爪５８より先端は若干幅狭となっている。突出部４２のピン４５は、クリップ片５６に対してはクリップ片５６の先端の幅における略中央に位置している。
上記の突出部４２、クリップ支持部５０、クリップ片５６、およびピン４５とでクリップ部４０が構成される。
【００１７】
つぎに、フック部３６は、取付けブロック３０の突出部４２とは反対側の端部に設けられる。
とくに図４の（ａ）に示すように、フック部３６は、取付けブロック３０の前壁面３１から前方へ突き出した基部３７から、引掛け部３８をクリップ部４０方向へ延ばして形成されている。
引掛け部３８と取付けブロック３０の前壁面３１間の間隙Ｆは、リザーブタンク１０の取り付け耳部１６の厚さに整合させてある。引掛け部３８の先端は、前壁面３１に対向する側が傾斜面３９となっている。
【００１８】
リザーブタンク１０をファンシュラウド２０に取り付ける手順は以下のとおりである。
まず、リザーブタンク１０の下端から突出する取り付け突起１２を、ファンシュラウド２０の下受け部２８の穴２９に挿し込んで、リザーブタンク１０の重量を支える。
つぎに、リザーブタンク１０をその取り付け突起１２の軸まわりに捻った状態で、リザーブタンクの取り付け耳部１６をフック部３６に斜めに差し込む。この際、引掛け部３８の先端が傾斜面３９となっているので、斜め方向からでも滑らかに差し込むことができる。
【００１９】
そして、取り付け耳部１６をフック部３６の奥へ差し込みながら、リザーブタンク１０を取り付け突起１２の軸まわりに回転させ、もう一方の取り付け耳部１４を取付けブロック３０の突出部４２へ向けて移動させ、取り付け耳部１４の孔１５を突出部４２のピン４５に挿し込む。
この間、他方の取り付け耳部１６が取付けブロック３０の前壁面３１と引掛け部３８間の平行な間隙内に進行するに従い、リザーブタンク１０には回転する付勢力が働くので、これも一方の取り付け耳部１４の突出部４２へ向けての移動を助ける。
【００２０】
取り付け耳部１４の孔１５をピン４５に挿し込む過程において、取り付け耳部１４の側縁が爪５８の傾斜面５９に乗り上げ、これによりクリップ片５６が撓んでの取り付け耳部１４の通過を許す。取り付け耳部１４が爪５８を通過すると、クリップ片５６は元の姿勢に復帰するので、取り付け耳部１４はピン４５に挿し込まれた状態でクリップ片５６の爪５８に押えられ、抜け止めされる。
【００２１】
前述のように、クリップ支持部５０はリブ５３を備えて上辺５２が広幅のＥ字形状断面を有し、また補強壁５４でも支持されて、単なる板状のクリップ片５６に比較して高い剛性を持っているので、取り付け耳部１４がピン４５に挿し込まれる過程においてもほとんど変形しない。
またクリップ支持部５０とクリップ片５６をつなぐ接続部５７も、クリップ支持部５０のリブ５３および上辺５２につながっているので、同様に剛性が高い。とくに、図６に示す接続部５７からクリップ片５６開始点までの長さＨが長いほど接続部５７の剛性は高くなる。
これにより、取り付け耳部１４の挿し込み過程では、クリップ片５６のみが曲がり変形して取り付け耳部１４の通過を許す。
【００２２】
以上の手順で取り付けられたファンシュラウド２０に取り付けられたリザーブタンク１０は、取り付け突起１２をファンシュラウドの下受け部２８の穴２９に挿し込んで、底部を着座させることによって重量を支えられるとともに、リザーブタンク１０下端の前後、左右方向の移動を阻止される。
【００２３】
また、一方の取り付け耳部１４では、クリップ部４０のピン４５に孔１５を差し込むことによって上下方向が位置決めされるとともに、図７に示すように、左右方向が位置決めされ、かつ、クリップ片５６の爪５８によって前方への抜けが阻止される。
この際、クリップ部４０のクリップ支持部５０および接続部５７は大きな剛性を有している一方、取り付け耳部１４をピン４５から抜く方向の外力は爪５８を介してクリップ片５６の長手方向に加わるので、クリップ片５６も曲がらない。したがって、クリップ部４０は取り付け耳部１４をピン４５から抜く方向の外力に対して、確実に取り付け耳部１４を保持する。
【００２４】
そして、他方の取り付け耳部１６では、フック部３６の引掛け部３８によって前方への抜けが阻止されるとともに、リザーブタンク１０の本体がフック部３６の基部３７および引掛け部３８に当接することにより上方への移動が阻止される。
したがって、リザーブタンク１０は上下、前後、ならびに左右方向のすべてにおいて位置決めされ、ファンシュラウド２０に確実に保持される。
【００２５】
一方、リザーブタンク１０をファンシュラウド２０から取り外す場合は、取付けブロック３０の裏面側から突出部４２の開口を通して、または取付けブロック３０の表面側から直接、クリップ片５６の自由先端を変位させれば、クリップ片５６は容易に撓んで爪５８が取り付け耳部１４から外れるので、取り付け耳部１４をピン４５から抜くことができる。その後は取り付け時と逆順のステップを採ることで簡単にリザーブタンク１０を外せる。
【００２６】
実施の形態は以上のように構成され、ベース部２２の取付けブロック３０に、リザーブタンク１０上端の一方の取り付け耳部１４に対応させてピン４５が付設されたクリップ部４０と、他方の取り付け耳部１６を横方向に差し込み可能のフック部３６とを設け、クリップ部４０は、そのピン４５に取り付け耳部１４の孔１５を正面方向から差し込んだとき、クリップ片５６が当該取り付け耳部１４と係合して、取り付け耳部のピン４５からの抜けを阻止するものとしたので、従来のようなＪナット嵌め込み、ボルトで結合するものと比較して、コストが低減し、作業も極めて簡単であるという効果を有する。
【００２７】
なお、上記実施の形態では、固定側部材としてのファンシュラウド２０にリザーブタンク１０を取付部品として取り付ける例について説明したが、本発明はこれに限定することなく、種々の固定側部材に取付部品を確実に保持させる場合に適用することができる。
【００２８】
【発明の効果】
以上のとおり、本発明は、固定側部材にピンとクリップ片とを有するクリップ部を設け、部品はピンを挿通可能の孔を有する第１の取り付け耳部を備えて、クリップ片の撓みにより第１の取り付け耳部のピンへの挿通を許し、挿通後はクリップ片の爪が係合して第１の取り付け耳部のピンからの抜けを阻止するよう構成し、部品には第１の取り付け耳部から横方向に離間した位置に第２の取り付け耳部を備え、固定側部材には第２の取り付け耳部を係止可能の引掛け部を備えるフック部を設けられているものとしたので、ボルト、ナットによる結合が不要で、コストが低減し、作業も極めて簡単であるという効果を有する。また、取り付け作業性を保持しながら部品の支持点を増やすことができる。
【００２９】
また、さらに部品の下部に係合部を備え、固定側部材の下部には係合部と係合して部品を受ける下受け部を備えることにより、部品が重量物であっても、下部で支えながら楽に取り付けることができる。また下受け部で受けることによって高さ位置が決まるので、ピンと第１の取り付け耳部の位置合わせが容易となる。
【００３０】
さらに、フック部の引掛け部の先端に傾斜面を有するものとすることにより、第２の取り付け耳部のフック部への差し込みがとくに容易となる。
【００３１】
固定側部材が車両のファンシュラウドであり、部品がリザーブタンクである場合には、リザーブタンク側では第１の取り付け耳部と第２の取り付け耳部を上端に備えるとともに、下部には取り付け突起を備え、ファンシュラウド側ではクリップ部とフック部を上部に備えるとともに、下部には取り付け突起を受ける穴を有する下受け部を備えることにより、まず下受け部でリザーブタンクを下支えした状態で、第２の取り付け耳部をフック部へ差し込み、それから第１の取り付け耳部をピンに挿し込むことで、簡単にリザーブタンクをファンシュラウドに組み付けることができる。
【００３２】
クリップ片の爪には前方側に傾斜面を有することにより、第１の取り付け耳部をピンに挿し込む際、第１の取り付け耳部の側縁が傾斜面に乗り上げ、クリップ片が滑らかに撓んで第１の取り付け耳部の挿通を許す。
【００３３】
また、クリップ支持部をクリップ片に対して曲げ剛性の大きな断面とすることにより、第１の取り付け耳部の抜け方向の外力がクリップ片を介して作用してもクリップ支持部が変形しないので、抜けが確実に阻止される。
【図面の簡単な説明】
【図１】本発明の実施の形態を示す正面図である。
【図２】リザーブタンクを示す図である。
【図３】ファンシュラウドの下受け部を示す部分拡大図である。
【図４】ファンシュラウドの取付けブロックを示す部分拡大図である。
【図５】図４におけるＡ−Ａ部断面図である。
【図６】図４におけるＢ−Ｂ部矢視図である。
【図７】ファンシュラウドにリザーブタンクを取り付けた状態を示す上面図である。
【図８】従来例を示す図である。
【符号の説明】
１０、１０Ａ    リザーブタンク
１２      取り付け突起（係合部）
１４、１６    取り付け耳部
１５、１７    孔
２０      ファンシュラウド
２２      ベース部
２４      丸穴
２６      支持アーム
２８      下受け部
２９      穴
３０      取付けブロック
３６      フック部
３７      基部
３８      引掛け部
３９      傾斜面
４０      クリップ部
４２      突出部
４３      前壁
４５      ピン
４８      側壁
４９      開口
５０      クリップ支持部
５１      縦壁
５２      上辺
５３      リブ
５４      補強壁
５６      クリップ片
５７      接続部
５８      爪
５９      傾斜面
【図１】
0004202032.tif 000002
【図２】
0004202032.tif 000003
【図３】
0004202032.tif 000004
【図４】
0004202032.tif 000005
【図５】
0004202032.tif 000006
【図６】
0004202032.tif 000007
【図７】
0004202032.tif 000008
【図８】
0004202032.tif 000009